(57)【特許請求の範囲】
【請求項１】
浴槽、フィルター部、加熱部を順次接続して、前記浴槽内の水を前記加熱部へ供給する第１の通路と、
前記加熱部と前記浴槽とを接続して、前記加熱部で加熱した水を前記浴槽へ供給する第２の通路と、
前記第２の通路から分岐し、室内へ導かれる室内導入通路と、
この室内導入通路に接続され、前記水が通過する通路を蛇行形成された室内側熱交換器と、
この室内側熱交換器に接続され、前記第１の通路に接続された室内導出通路と、
前記第１の通路内に設けられた第１のポンプと、
前記室内導入通路内に設けられた第２のポンプと、
前記加熱部で加熱する水の温度を一定温度に加温するために、前記加熱部を制御する加熱部制御手段とを備え、
前記第１のポンプ及び前記第２のポンプを作動させて、前記加熱部で加温した水を前記浴槽と前記室内側熱交換器へ並列的に供給し、
前記室内側熱交換器の通路を清掃する場合、前記第２のポンプを逆転させると共に前記第１のポンプを停止させ、
前記室内側熱交換器の通路内を流れる水を逆流させて、前記室内側熱交換器の通路に貯留した貯留物を前記室内側熱交換器外へ導いた
ことを特徴とする循環風呂温水供給方法。
【発明の詳細な説明】
【０００１】
【産業上の利用分野】
本発明は、循環風呂温水供給方法に係り、特に、循環風呂に使用する温水を暖房の熱源として利用することができる循環風呂温水供給方法に関する。
【０００２】
【従来の技術】
最近、浴槽と加熱部をパイプで接続して、浴槽へ供給する水を循環させると共に浴槽へ供給する水を一定温度に保ち、いつでも入浴できるようにした循環風呂温水装置が考えられ、一部実用化されている。
【０００３】
【発明が解決しようとする課題】
しかしながら、上述の循環風呂温水装置においては、浴槽に供給される水の温度を一定に保つ風呂の機能しか有しておらず、また、一方、フロンガスの冷媒を利用したヒートポンプによる冷凍サイクルによる暖房においては、暖房の立ち上がり特性が悪いこと、外気温が低下すると暖房能力が極端に低下するという問題点を有している。
【０００４】
本発明は、上記問題点を除去するようにした循環風呂温水供給方法を提供することを目的としている。
【０００７】
【課題を解決するための手段】
上記目的を達成するために、本発明の循環風呂温水供給方法は、浴槽、フィルター部、加熱部を順次接続して、前記浴槽内の水を前記加熱部へ供給する第１の通路と、前記加熱部と前記浴槽とを接続して、前記加熱部で加熱した水を前記浴槽へ供給する第２の通路と、前記第２の通路から分岐し、室内へ導かれる室内導入通路と、この室内導入通路に接続され、前記水が通過する通路を蛇行形成された室内側熱交換器と、この室内側熱交換器に接続され、前記第１の通路に接続された室内導出通路と、前記第１の通路内に設けられた第１のポンプと、前記室内導入通路内に設けられた第２のポンプと、前記加熱部で加熱する水の温度を一定温度に加温するために、前記加熱部を制御する加熱部制御手段とを備え、前記第１のポンプ及び前記第２のポンプを作動させて、前記加熱部で加温した水を前記浴槽と前記室内側熱交換器へ並列的に供給し、前記室内側熱交換器の通路を清掃する場合、前記第２のポンプを逆転させると共に前記第１のポンプを停止させ、前記室内側熱交換器の通路内を流れる水を逆流させて、前記室内側熱交換器の通路に貯留した貯留物を前記室内側熱交換器外へ導いたものである。
【０００８】
【実施例】
本発明の一実施例を図面を参照して説明する。
【０００９】
１は、循環風呂温水装置で、循環風呂温水装置１は、概略的に、浴槽２、フィルター部３、加熱部４を第１の通路５により順次接続され、また、加熱部４と浴槽２とは第２の通路６で接続され、この第２の通路６により、加熱部４で加熱した水（例えば、45℃以下の任意に設定した38℃〜45℃の水）が浴槽２へ供給される。
【００１０】
第２の通路６は中途から分岐し、室内へ導かれる室内導入通路７を有している。この室内導入通路７の一端は室内側熱交換器８に接続されている。また、室内導入通路７の中途であって、室内側熱交換器８の入口側には、簡易に取り外しできるフィルターＦが設けられている。
【００１１】
そして、室内側熱交換器８と第１の通路５とは、室内導出通路９で接続されている。
【００１２】
また、10は第１の通路５内に設けられた第１のポンプで、20は室内導入通路７内に設けられた第２のポンプである。
【００１３】
従って、循環風呂温水装置１は、図１に示すように、第１のポンプ10により、浴槽２内の水を第１の通路５を介して加熱部４へ供給し、加熱部４で加熱し、加熱した水を第２の通路６を介して浴槽２内へ供給して連続して循環させることができる。
【００１４】
そのため、循環式でない通常の風呂のものに比較し、水道水の使用量が少なく節水効果が大である。
【００１５】
また、一方、第２のポンプ20により、加熱した水を第２の通路６の中途から分岐した室内導入通路７を介して室内側熱交換器８内へ供給して、暖房の熱源として利用することができる。
【００１６】
次に、循環風呂温水装置１を構成する個々の部品について説明する。
【００１７】
浴槽２には、後述する第２の通路６がジェット発生機31を介して接続され、ジェット発生機31には、空気を吸い込むエアー吸入管32が接続されている。また、浴槽２と第１の通路５の入口側（浴槽２と第１の通路５との接続部）には、図示しないフィルターが装着され、浴槽２内の浮遊物を除去して第１の通路５内に水を供給している。
【００１８】
この第１の通路５の入口側に設けた図示しないフィルターで除去できない浮遊物は、フィルター部３で除去することができる。
【００１９】
フィルター部３は、図２に示すように、例えば、タンク35内の中心部にフィルター36が２枚の多孔仕切り板37、37に挟み込まれている。仕切り板37、37の下端部はタンク35の底部と蓋38に設けられた位置決め部材39、40にそれぞれ嵌合している。
【００２０】
タンク35の上部開口部は蓋38で覆われ、蓋38はタンク35の上部に設けたフランジ41の裏面側に取り付けられたナット42にボルト43を取り付け、パッキン44を介して蓋38をタンク35の上部開口部へ密着して取り付ける。なお、ボルト43を外して蓋38を除去することにより、フィルター36を容易に取り外すことができる。
【００２１】
フィルター36に付着した浮遊物は、該浮遊物をエサに自然発生するバクテリアに捕食、分解させることにより水を浄化させることができる。
【００２２】
フィルター部３のフィルター36で浮遊物を除去された水は、第１の通路５を介して加熱部４へ供給される。
【００２３】
加熱部４は、図３に示すように、下方部にヒーター47が設けられ、該ヒーター47上に上下２段に亙って、バケット48、48が位置している。バケット48、48には、図示しないミネラル発生鉱石を内在している。
【００２４】
ミネラル発生鉱石の利用により循環する水を上質なものに維持でき、身体の血行を促し、もって健康増進に役立つ。
【００２５】
加熱部４には、内部の水の温度を検出する温度センサー49、50が設けられ、温度センサー49、50で検出した温度結果に基づき、加熱部制御手段60により加熱部４が制御される。
【００２６】
この温度センサー49は、加熱部４内の温度を検出し、熱ロスを考慮し、設定された浴湯の温度より若干高めの温度を検出すると、加熱部制御手段60によりヒーター47をオフするように制御する。
【００２７】
また、温度センサー50は、加熱部４内の異常な高温度（例えば、50℃以上）を検出すると、加熱部制御手段60によりヒーター47をオフするように制御する。
【００２８】
そして、風呂温水は最高温度、例えば、45℃以下の任意の温度（例えば、38℃〜45℃）を使用者が設定できるようになっている。これに伴い、室内側熱交換器８に流入する水は、風呂温水と同じ温度の水が供給されることとなる。つまり、この循環風呂温水装置１においては、風呂温水を暖房源より優先して制御されている。
【００２９】
なお、加熱部４の上部には、加熱部４内のエアーを外部へ導くエアー導出管51が設けられ、エアー導出管51の中途には、自動エアー抜き弁52が設けられている。
【００３０】
加熱部４で加熱された水は、第２の通路６に導かれる。第２の通路６と室内導入通路７との接続部には、第１の切替手段70が設けられている。
【００３１】
この第１の切替手段70は、図４及び図５に示すように、室内導入通路７を導通させると共に第２の通路６をも導通させるか（図４参照）、室内導入通路７を遮断し、第２の通路６を導通させるか（図５参照）を選択的に切り替えることができるものである。
【００３２】
第１の切替手段70の切り替えにより、室内導入通路７に導入された水は、室内側熱交換器８に供給される。
【００３３】
室内側熱交換器８は、例えば、室内の床（図示しない）部分に発砲スチロール等の断熱材（図示しない）を介して設置され、床暖房として利用することができるものである。
【００３４】
第２の通路６は中途から分岐し、室内へ導かれる室内導入通路７を有している。この室内導入通路７の一端は室内側熱交換器８に接続されている。室内側熱交換器８は内部を水が通過する通路を蛇行状に形成している。
【００３５】
室内側熱交換器８は、例えば、内部を水が通過する通路を蛇行状に形成し、その表面上にフローリング材（仕上げ材）55を載置したもので、発砲スチロール、銅、ポリプテン、アルミ等で成形することができる。
【００３６】
また、室内側熱交換器８の出口側には、室内側熱交換器出口温度センサー56、開度調整弁57が設けられ、開度調整弁57は、使用者に設定された値になるように、室内側熱交換器出口温度センサー56で検出した温度結果に基づいて、開度調整弁制御手段58により制御される。
【００３７】
また室内導出通路９の中途には、室内側熱交換器８を通過した水に含まれるエアーを外部へ導くエアー導出管59が設けられ、エアー導出管59の中途には、自動エアー抜き弁61が設けられている。
【００３８】
そして、室内側熱交換器８で熱交換された水は、室内導出通路９に導かれる。室内導出通路９と第１の通路５との接続部には、第２の切替手段80が設けられている。
【００３９】
この第２の切替手段80は、図６乃至図８に示すように、室内導出通路９と第１の通路５、第１の通路５をそれぞれ導通させるか（図６参照）、室内導出通路９と第１の通路５とを遮断し、第１の通路５を導通するか（図７参照）、室内導出通路９と第１の通路５とを導通し、第１の通路５を中途で遮断するか（図８参照）を選択的に切り替えることができるものである。
【００４０】
なお、使用者が暖房スイッチ（図示せず）を押せば、加熱部制御手段60により、第１の切替手段70が室内導入通路７を導通させると共に第２の通路６をも導通させるように切り替え（図４参照）、また、第２の切替手段80が室内導出通路９と第１の通路５とを導通させるように切り替え（図６参照）、更に、第２のポンプ20を起動させる。
【００４１】
逆に、使用者が暖房スイッチ（図示せず）を解除すれば、加熱部制御手段60により、第１の切替手段70が室内導入通路７を遮断し、第２の通路６を導通させるように切り替え（図５参照）、また、第２の切替手段80が室内導出通路９と第１の通路５とを遮断し（図７参照）、更に、第２のポンプ20を停止させるものである。
【００４２】
従って、循環風呂温水装置１においては、循環系は２系統からなり、浴槽系は第１のポンプ10の作動により、浴槽２内の水は第１の通路５を介してフィルター部３の一次側に吸入される。
【００４３】
フィルター部３の中心部に位置した２枚の多孔板37、37に挟まれたフィルター36を経て、二次側へ吸引され濾過され、第１の通路５を介して加熱部４内に送り込まれる。
【００４４】
加熱部４内に送り込まれた水は、ヒーター47によって加熱されると共にバケット48内の図示しないミネラル発生鉱石を通過し、ミネラル分を含んで活性化され、第２の通路６を介して浴槽２内に圧送される。
【００４５】
また、暖房系は第２のポンプ20の作動により、加熱部４で加熱された水は、第２の通路６の中途から分岐し、室内導入通路７を介して、室内側熱交換器８に供給され、暖房の熱源として利用することができる。
【００４６】
室内側熱交換器８に供給され、熱交換した水は、室内導出通路９を介して、第１の通路５に戻される。
【００４７】
この実施例のものによれば、浴槽２内の水を常時第１のポンプ10により、第１の通路５を介してフィルター部３で浄化し、浄化した水を加熱部４で加熱し、第２の通路６を介して浴槽２内に循環させるものとすることができ、節水して24時間いつでも入浴することができ、しかも、浴槽２内に供給される水にはバケット48内の図示しないミネラル発生鉱石を通過しミネラル分を含んでおり、このミネラル分を含んだ水をジェット発生機31から生じる超音波により身体に当て、身体表面の老廃物等を除去し健康増進に寄与することができ、更に、循環風呂に使用する温水を暖房の熱源として利用することができ、もって社会に貢献することができるものである。
【００４８】
なお、循環する水の中の浮遊物はフィルター部３で除去しているが、室内側熱交換器８の通路内に該浮遊物が貯留し貯留物を形成して通路を狭めて暖房効果を阻害する。
【００４９】
そのため、浴槽２と第１の通路５の入口側（浴槽２と第１の通路５との接続部）には、図示しないフィルター、フィルター部３、室内側熱交換器８の入口側に簡易に取り外しできるフィルターＦ等を設けて、室内側熱交換器８の通路内に浮遊物が貯留しないようにしている。
【００５０】
万一、室内側熱交換器８の通路内に該浮遊物が貯留し貯留物を形成して通路を狭めた場合、本実施例によれば、室内側熱交換器８を取り外すことなく、図９に示すように、第２のポンプ20を逆転させると共に第１のポンプ10を停止させ、室内側熱交換器８の通路内を流れる水を逆流させて、室内側熱交換器８の通路に貯留した貯留物を室内側熱交換器８外へ導くことができる。なお、この場合、第２の切替手段80により、室内導出通路９と第１の通路５とは導通し、第１の通路５は中途で遮断するように切り替えられている。
【００５１】
室内側熱交換器８外へ導かれた貯留物を含んだ水は、例えば、室内導入通路７に接続された排水管71から排水される。72は排水管71の通路を開閉する開閉バルブである。
【００５２】
また、本実施例では、室内側熱交換器を床暖房として利用したものを説明したが、本発明にあっては、これに限定されることなく、例えば、壁掛け用の室内ユニット内に室内側熱交換器を組み込み、ファン（図示しない）により強制的に熱交換させた空気を室内に供給することもできる。
【００５３】
この場合、例えば、内部を水が通過する通路を蛇行状に銅、ポリプテン等のパイプで形成し、該パイプにアルミのフィンを付けて、室内側熱交換器を構成すると良い。
【００５４】
また、本実施例では、第１の通路５に第１のポンプ10、第２の通路６に第２のポンプ20とポンプを２個設けたが、本発明にあって、第１の通路５または第２の通路６内に少なくとも、１個のポンプを設ければ良い。
【００５８】
【発明の効果】
本発明の循環風呂温水供給方法は、浴槽、フィルター部、加熱部を順次接続して、前記浴槽内の水を前記加熱部へ供給する第１の通路と、前記加熱部と前記浴槽とを接続して、前記加熱部で加熱した水を前記浴槽へ供給する第２の通路と、前記第２の通路から分岐し、室内へ導かれる室内導入通路と、この室内導入通路に接続され、前記水が通過する通路を蛇行形成された室内側熱交換器と、この室内側熱交換器に接続され、前記第１の通路に接続された室内導出通路と、前記第１の通路内に設けられた第１のポンプと、前記室内導入通路内に設けられた第２のポンプと、前記加熱部で加熱する水の温度を一定温度に加温するために、前記加熱部を制御する加熱部制御手段とを備え、前記第１のポンプ及び前記第２のポンプを作動させて、前記加熱部で加温した水を前記浴槽と前記室内側熱交換器へ並列的に供給し、前記室内側熱交換器の通路を清掃する場合、前記第２のポンプを逆転させると共に前記第１のポンプを停止させ、前記室内側熱交換器の通路内を流れる水を逆流させて、前記室内側熱交換器の通路に貯留した貯留物を前記室内側熱交換器外へ導いたものであるから、循環風呂に使用する温水を風呂のみならず、暖房の熱源として利用することができ、しかも、該熱源は、フロンガスの冷媒を利用したヒートポンプによる冷凍サイクルによる暖房に比較し、暖房の立ち上がり特性も良好で、また、外気温が低下しても暖房能力が極端に低下することもない。更に、第２の通路内に設けられた第２のポンプにより、水が通過する通路を蛇行形成された室内側熱交換器へも、供給することができる。また、循環する水の中の浮遊物をフィルター部で除去しているが、室内側熱交換器の通路内に該浮遊物が貯留し貯留物を形成して通路を狭めて暖房効果を阻害する場合、室内側熱交換器の通路内を清掃する必要性を有するが、本発明によれば、室内側熱交換器を取り外すことなく、第２のポンプを逆転させると共に第１のポンプを停止させ、室内側熱交換器の通路内を流れる水を逆流させて、室内側熱交換器の通路に貯留した貯留物を室内側熱交換器外へ導くことができる。
【図面の簡単な説明】
【図１】  図１は、本発明の一実施例の循環風呂温水供給方法を実施するための循環風呂温水装置を概略的に説明するための説明図である。
【図２】  図２は、図１のフィルター部を拡大して概略的に説明するための説明図である。
【図３】  図３は、図１の加熱部を拡大して概略的に説明するための説明図である。
【図４】  図４は第１の切替手段が室内導入通路を導通させると共に第２の通路をも導通させる状態を説明するための説明図である。
【図５】  図５は第１の切替手段が室内導入通路を遮断し、第２の通路を導通させる状態を説明するための説明図である。
【図６】  図６は第２の切替手段が室内導出通路と第１の通路とを遮断し、第２の通路を導通させる状態を説明するための説明図である。
【図７】  図７は第２の切替手段が室内導出通路と第１の通路とを遮断する状態を説明するための説明図である。
【図８】  図８は第２の切替手段が室内導出通路と第１の通路とを導通し、第１の通路を中途で遮断する状態を説明するための説明図である。
【図９】  図９は、本発明の他の実施例の循環風呂温水供給方法を実施するための循環風呂温水装置を概略的に説明するための説明図である。
【図１】
0003654374.tif 000002
【図２】
0003654374.tif 000003
【図３】
0003654374.tif 000004
【図４】
0003654374.tif 000005
【図５】
0003654374.tif 000006
【図６】
0003654374.tif 000007
【図７】
0003654374.tif 000008
【図８】
0003654374.tif 000009
【図９】
0003654374.tif 000010